(57)【要約】【課題】メダル等の遊技媒体を払い出す際に、遊技媒体によるアトラクションを提供する。【解決手段】遊技機１の筐体２の内部にはメダル１０１を送出するホッパー４０等が備えられ、遊技結果によりメダル１０１が送出される。送出されたメダル１０１は前面上部口１０２、液晶前面メダル進行路６０、リール側面メダル進行路６１を進行し、メダル入賞口６２が設けられた連絡路をメダル払出口１５に向かって進行する。メダル１０１がメダル入賞口６２に入った場合には、新たなメダル１０１がホッパー４０等から送出される。【選択図】図１
2008264362.tif 000002
【特許請求の範囲】
【請求項１】
筐体と、
遊技媒体を用いて、所定の入力に応じて抽籤を実行し、該抽籤結果に応じて複数種類の遊技状態の下で遊技を実行する遊技実行手段と、
前記筐体内部に設けられ、前記遊技媒体を送出する送出手段と、
前記送出手段の下方に配置され、前記遊技媒体を前記筐体外部に排出する排出口と、
前記送出手段と前記排出口とを連絡し、前記遊技媒体を自重により任意の進行経路で進行させる連絡路と、
前記連絡路を進行する前記遊技媒体が所定の進行経路を通過したことを検出する検出手段と、
前記遊技実行手段の実行結果に基づいて、前記送出手段により前記遊技媒体を送出させるとともに、前記検出手段の検出に基づいて所定の遊技価値を付与する遊技価値付与手段と、
を有することを特徴とする遊技機。
【請求項２】
前記遊技価値付与手段は、前記所定の遊技価値として、前記送出手段により前記遊技媒体を送出させることを特徴とする請求項１に記載の遊技機。
【請求項３】
前記連絡路は、進行中の前記遊技媒体を前記筐体外部から視認可能にすることを特徴とする請求項１又は２に記載の遊技機。
【発明の詳細な説明】
【技術分野】
【０００１】
本発明は、遊技媒体を用いて遊技を行う遊技機に関する。
【背景技術】
【０００２】
従来、パチスロ遊技機には、正面の表示窓内に複数の図柄を表示する回転リールが備えられている。遊技者がスタートレバーを操作すると、各リールを回転させることにより、図柄を変動表示させ、遊技者の停止操作により、各リールの回転を順次停止させる。このとき、表示窓内に現れた各リールの図柄が所定の組合せ（入賞図柄）になった場合にコイン、メダル等の遊技媒体を払出すことで遊技者に利益が付与される（例えば、特許文献１〜２参照）。
【０００３】
【特許文献１】特許公開２００７−２０８６０号公報
【特許文献２】特許公開２００６−３０５０９３号公報
【０００４】
一方、特許文献３乃至５には、遊技媒体であるメダル等を下部タンクから上部タンクへ揚送する揚送機構を備えた遊技機や、遊技メダルを下方から上方に揚送する揚送機構や、遊技メダル及び研磨材を円筒管の下方から上方に揚送しながら遊技メダルを研磨する研磨装置が開示されている。
【０００５】
【特許文献３】特開平１１−１９２７４号公報
【特許文献４】特開２００５−２３０３５６号公報
【特許文献５】特開平６−１４２３３３号公報
【発明の開示】
【発明が解決しようとする課題】
【０００６】
しかし、従来の遊技機は、ただ単にメダル等の遊技媒体が遊技機筐体下部から払い出されるだけで、遊技者にとってメダル等の遊技媒体の払い出しは単調な作業に過ぎないという問題があった。
【０００７】
本発明の目的は、メダル等の遊技媒体を遊技者に対して払い出す際に、遊技媒体によるアトラクションを提供することである。
【課題を解決するための手段及び効果】
【０００８】
本発明の遊技機は、筐体と、遊技媒体を用いて、所定の入力に応じて抽籤を実行し、該抽籤結果に応じて複数種類の遊技状態の下で遊技を実行する遊技実行手段と、前記筐体内部に設けられ、前記遊技媒体を送出する送出手段と、前記送出手段の下方に配置され、前記遊技媒体を前記筐体外部に排出する排出口と、前記送出手段と前記排出口とを連絡し、前記遊技媒体を自重により任意の進行経路で進行させる連絡路と、前記連絡路を進行する前記遊技媒体が所定の進行経路を通過したことを検出する検出手段と、前記遊技実行手段の実行結果に基づいて、前記送出手段により前記遊技媒体を送出させるとともに、前記検出手段の検出に基づいて所定の遊技価値を付与する遊技価値付与手段と、を有することを特徴とする。
【０００９】
上記の構成によれば、遊遊技価値付与手段により送出された遊技媒体が連絡路を排出口に向かって進行し、遊技媒体が所定の進行経路を通過した場合に遊技価値が付与されるという、遊技媒体によるアトラクションを提供することができる。
【００１０】
また、本発明の遊技機において、前記遊技価値付与手段は、前記所定の遊技価値として、前記送出手段により前記遊技媒体を送出させるようにしてよい。上記の構成によれば、遊技価値付与手段により送出された遊技媒体が連絡路を排出口に向かって進行する。遊技媒体が所定の進行経路を通過した場合に、さらに別の遊技媒体が遊技価値付与手段により送出される。このように、遊技価値付与手段により付与された所定の遊技価値がさらに新たな遊技媒体を生み出すため、累積的に新たな遊技価値を付与することができるという、遊技媒体によるアトラクションを提供することができる。
【００１１】
また、本発明の遊技機において、前記連絡路は、進行中の前記遊技媒体を前記筐体外部から視認可能にしてよい。上記の構成によれば、遊技価値付与手段により送出された遊技媒体が連絡路を排出口に向かって進行する様子が外部から視認可能な状態となる。遊技媒体が所定の進行通路を通過するか否かについて視認することができるという、遊技媒体によるアトラクションを提供することができる。
【発明を実施するための最良の形態】
【００１２】
（実施形態１）
本発明の実施の形態を図１乃至図７に基づいて以下に説明する。
【００１３】
本実施の形態にかかる遊技機は、所謂『パチスロ機』であり、複数の図柄の変動表示を停止して表示される図柄に基づいて特定の入賞態様が成立するように、遊技者の操作により変動表示を停止可能に構成されている。なお、遊技機は、コインやメダル、遊技球、トークン等の他、遊技者に付与された、もしくは付与される遊技価値の情報を記憶したカード等の遊技媒体を用いて遊技するものであるが、以下の説明においては、遊技媒体及び遊技価値をメダルとして説明する。
【００１４】
（遊技機１の機械的構成）
図１は、遊技機１の外観を示す斜視図である。遊技機１の全体を形成している筐体としてのキャビネット２の正面には、液晶表示装置５が設置されている。液晶表示装置５は、後述する３個のリール３Ｌ・３Ｃ・３Ｒと同期する図柄表示手段としての疑似リール４Ｌ・４Ｃ・４Ｒや、キャラクタ等による演出画像等を表示することが可能となっている。
【００１５】
液晶表示装置５の下方には、斜め上方に開口したリール表示窓２ａが形成されている。そして、リール表示窓２ａの奥には、図柄表示手段としての３個のリール３Ｌ・３Ｃ・３Ｒが設けられている。３個のリール３Ｌ・３Ｃ・３Ｒは、それぞれその外周面に複数の図柄からなる図柄列が記されている。図柄列は、「００」〜「２０」のコードナンバーが付された複数種類の図柄からなっている。具体的には、「赤７」、「青７」、「チェリー」、「ベル」、「スイカ」及び「Ｒｅｐｌａｙ」の図柄からなっている。各リールは、定速回転（例えば８０回転／分）で回転する。上記の図柄列中における「赤７」、「青７」は、特定の入賞態様を構成するものとして設定されている。ここで、特定の入賞態様とは、後述のＢＢ（ビッグボーナス）やＲＢ（レギュラーボーナス）のボーナスが成立する入賞態様を意味する。
【００１６】
リール３Ｌ・３Ｃ・３Ｒの各図柄は、図１に示すように、キャビネット２の正面から縦方向に３つずつ、合計９つの図柄が視認できるようになっている。また、視認可能な９つの図柄の停止位置に対応して、５本の入賞ラインが設定されている。即ち、上下方向に３つ並ぶ図柄を水平に横切るトップライン、センターライン及びボトムライン、斜め方向に横切るクロスダウンライン、クロスアップラインが設けられている。これら各入賞ラインは、遊技者に視認可能に表示してもよいし、表示しなくてもよい。
【００１７】
これらの入賞ラインは、後述の１−ＢＥＴボタン１１、最大ＢＥＴボタン１２を操作すること、或いはメダル投入口２２にメダルを投入することにより、１枚賭け時は１本（センターラインのみ）、２枚賭け時（１−ＢＥＴボタン１１を２回操作（押圧）又は、メダルを２枚投入）は３本（センターラインに加え、トップライン、ボトムライン）、最大枚数（本実施例では３枚）賭け時は５本（２枚賭け時の３本に加え、クロスダウンライン、クロスアップライン）が有効化される。入賞ラインは、役の入賞の成否に関わる。具体的には、所定の役に対応する図柄組み合せを構成する図柄が何れかの有効化された入賞ラインに対応する所定の位置に並んで停止表示されることにより、所定の役の入賞が成立することとなる。以下の説明において、有効化された入賞ラインを有効ラインと言う場合がある。
【００１８】
リール表示窓２ａの左側には、払出枚数及びクレジット数を表示する表示部１７が設けられている。表示部１７は、７セグメント表示器からなり、最大４桁の数値が表示される。そして、左側２桁部分には、貯留されているメダルの枚数（クレジット数）が表示され、右側２桁部分には、入賞成立時のメダルの払出枚数を表示される。
【００１９】
表示部１７の右側には、メダル投入ランプ１８、１−ＢＥＴランプ９ａ、２−ＢＥＴランプ９ｂ及び最大ＢＥＴランプ９ｃが設けられている。メダル投入ランプ１８は、メダルの投入が受け付け可能であるときに点滅する。なお、一のゲームは、全てのリールが停止したとき、又は、メダルの払い出しが行われる場合には、メダルが払い出されたときに終了する。
【００２０】
また、表示部１７の左側には、遊技開始表示ランプ１９及びリプレイランプ２０が設けられている。遊技開始表示ランプ１９は、入賞ラインの少なくとも１本が有効化されたときに点灯する。リプレイランプ２０は、後述の「リプレイ」に入賞したときに点灯する。即ち、リプレイランプ２０が点灯している場合は、メダルを投入することなく、ゲームを開始できる。
【００２１】
リール表示窓２ａ及び表示部１７の下方には、水平面を有する台座部１０が形成されている。台座部１０の左側には、１−ＢＥＴボタン１１及び最大ＢＥＴボタン１２が設けられている。１−ＢＥＴボタン１１は、１回の押し操作により、クレジットされているメダルのうちの１枚をゲームへの賭け枚数とし、２回の押し操作により、クレジットされているメダルのうちの２枚をゲームへの賭け枚数とする。最大ＢＥＴボタン１２は、１回のゲームに賭けることが可能な最大枚数（本実施例では、３枚）をゲームへの賭け枚数とする。このＢＥＴボタン１１・１２を操作することで、上述の入賞ラインが有効化されるようになっている。
【００２２】
また、台座部１０の前面部の左寄りには、遊技者が遊技で獲得したメダルのクレジット／払い出しを押し操作により切り替える貯留メダル精算ボタン１４（以下、Ｃ／Ｐボタン１４と言う）が設けられている。このＣ／Ｐボタン１４の切り替えにより「払い出し」が選択された場合には、正面下部に設けられた排出口としてのメダル払出口１５からメダルが払い出され、払い出されたメダルはメダル受部１６に溜められる。一方、「クレジット」が選択された場合には、遊技機１が備えるメモリ（例えば、後述するＲＡＭ３３等）にメダル数がクレジットとして記憶される。
【００２３】
Ｃ／Ｐボタン１４の右側には、遊技者の操作によりリール３Ｌ・３Ｃ・３Ｒを回転させるための遊技開始指令手段としてのスタートレバー６が所定の角度範囲で回動自在に取り付けられている。台座部１０の前面部中央には、３個のリール３Ｌ・３Ｒ・３Ｃの回転をそれぞれ停止させるための３個の停止ボタン７Ｌ・７Ｃ・７Ｒが設けられている。
【００２４】
台座部１０の右側には、メダル投入口２２が設けられている。さらに、キャビネット２の上方の左右には、スピーカ２１Ｌ・２１Ｒが設けられ、スピーカ２１Ｌ・２１Ｒの間にはＬＥＤランプ２９が設けられており、遊技状態に応じた演出に伴い、点滅等するようになっている。さらに、正面下部のメダル払出口１５の右側にもスピーカ２１Ｂが設けられている。
【００２５】
（メダルアトラクションの構造）
液晶表示装置５の遊技機前面側には、メダル１０１を自重により、メダル払出口１５に進行させる連絡路が設けられている。連絡路は、液晶表示装置５の遊技機前面と平行に設けられた透明な２枚のアクリル板と、その２枚のアクリル板の間に設けた液晶前面メダル進行路６０とから成り、メダル１０１が自重により進行可能に構成されている。図１に示すように、メダル１０１は、２枚のアクリル板の間を液晶前面メダル進行路６０に沿って自重により進行する。メダル１０１は、キャビネット２の上部に設けられた前面上部口１０２から送出され、疑似リール４Ｌ・４Ｃ・４Ｒの遊技機前面側を右方から左方に、遊技機左方側を上方から下方に、遊技機下方側を左方から右方に、遊技機右方側を上方から下方に進行する。また、透明なアクリル板により、進行中のメダルがキャビネット２の外部から視認可能に構成されている。
【００２６】
また、リール３Ｌ・３Ｃ・３Ｒの右方側には、連絡路としてリール側面メダル進行路６１が設けられている。液晶前面メダル進行路６０を進行したメダル１０１は、リール側面メダル進行路６１に沿って、遊技機後方から前方に、遊技機前方から後方に、進行する。
【００２７】
なお、本実施の形態において、連絡路を透明なアクリル板と、液晶前面メダル進行路６０、リール側面メダル進行路６１等から構成しているが、本発明において、メダル１０１を自重により進行させるものであれば、これに特に限定されるものではない。例えば、進行路の形状を螺旋形状に構成してもよい。また、本実施の形態において、連絡路を進行中のメダル１０１がキャビネット２の外部から視認可能であると良いが、視認可能でなくともよい。
【００２８】
なお、本実施の形態において、メダル１０１は、疑似リール４Ｌ・４Ｃ・４Ｒの遊技機前面側を右方から左方に、遊技機左方側を上方から下方に、遊技機下方側を左方から右方に、遊技機右方側を上方から下方に進行するが、本発明において、これに特に限定されるものではない。
【００２９】
（メダル入賞口）
リール３Ｌ・３Ｃ・３Ｒの下方には、図１に示すとおり、上記リール側面メダル進行路６１を進行したメダル１０１を自重により任意の進行経路で進行させる連絡路が設けられている。この連絡路の下部には、回収口（払出）６３が設けられている。回収口（払出）６３は、メダル１０１をメダル払出口１５に誘導するように、メダル払出口１５に連絡されている。また、連絡路におけるメダル１０１の特定の進行経路上には、メダル入賞口６２が設けられている。メダル入賞口６２は、メダル１０１をメダル払出口１５に誘導する口及び経路を有するとともに、メダル１０１がメダル入賞口６２に入ったことを検出する検出手段としてメダル入賞検出部９０（図示せず）を有する。本実施例においては、連絡路に、メダル入賞口６２に入ったメダル１０１が２倍になる意味を有するメダル入賞口６２ａや、メダル入賞口６２に入ったメダル１０１が３倍になる意味を有するメダル入賞口６２ｂが設けられてる。
【００３０】
なお、本実施の形態において、連絡路を進行する遊技媒体が所定の進行経路を通過したことを検出する検出手段として、メダル入賞口６２及びメダル入賞検出部９０としているが、本発明において、連絡路を進行する遊技媒体が所定の進行経路を通過したことを検出することができれば、これに特に限定されるものではない。
【００３１】
（遊技媒体送出手段）
図２は、キャビネット２の内部を示す図である。キャビネット２の内部の上方には、上面が開口し、メダル１０１を貯留するホッパータンク４０ａと、貯留されたメダル１０１を送出するホッパー本体４０ｂとを有する送出手段としてのホッパー４０が設置されている。また、キャビネット２の内部の下方には、上面が開口し、キャビネット２の上方に搬送するメダル１０１を収集するメダル収集部６６が設置されている。メダル収集部６６は収集されたメダル１０１を後述するメダル上昇装置６８に送り出すメダル送り装置６７を有する。また、キャビネット２の内部の右方には、メダル収集部６６で収集されたメダル１０１をホッパータンク４０ａ内まで上昇させるメダル上昇装置６８が設置されている。
【００３２】
図１に示すメダル投入口２２は、メダル通路（図示せず）を介してメダル収集部６６に連通している。そして、メダル投入口２２から投入されたメダル１０１は、メダル通路、メダル収集部６６、メダル送り装置６７及びメダル上昇装置６８を介して、ホッパータンク４０ａ内に搬送される。
【００３３】
ホッパー本体４０ｂの内部には、図示しないメダル投入機構が設けられており、後述する遊技価値付与手段により遊技結果に基づいて所定の枚数のメダル１０１をホッパー本体４０ｂの前面に設けられた送付先変更装置６９を介して送出するように構成されている。送出先変更装置６９は、ホッパー本体４０ｂから送出されたメダル１０１の送出先をメダル払出口１５と前面上部口１０２とに切り替え可能に構成されている。送出先変更装置６９の送出先は、後述する副制御回路７２により切り替え制御可能であるが、本実施の形態においては、常に前面上部口１０２を送付先として説明する。
【００３４】
なお、本実施の形態において、遊技媒体たるメダル１０１を送出する送出手段を、キャビネット２内部上方に設けたホッパーと、キャビネット２内部下方からメダル１０１を上方に搬送するメダル上昇装置６８と、メダル１０１の送付先を切り替える送付先変更装置６９と、から構成しているが、遊技媒体たるメダル１０１を送出するものであれば、本発明において、特にこれに限定されるものではない。
【００３５】
（メダル上昇装置）
メダル上昇装置６８は、メダル送り装置６７から送り出されたメダル１０１を上方に上昇させる装置である。
【００３６】
メダル上昇装置６８は、図３に示すように、螺旋軸６８ｃと、この螺旋軸６８ｃを内蔵する移送通路６８ａを有している。螺旋軸６８ｃはメダル送り装置６７から送り出されたメダル１０１を上方に上昇させるためのものである。移送通路６８ａは螺旋軸６８ｃによりメダル１０１が上昇される角筒形の通路である。
【００３７】
螺旋軸６８ｃは、図３に示すように、螺旋状の張り出し部を有する回転軸であって、移送通路６８ａの内部に設置されている。そして、移送通路６８ａの下部に設けられたメダル取り入れ口（図示せず）からメダル１０１を取り入れ、回転軸を張り出し部の螺旋の下り傾斜方向に回転させることにより、メダル１０１を移送通路６８ａの上方に移動させる構成となっている。
【００３８】
移送通路６８ａは、正面側に開口し螺旋軸６８ｃを覆う断面略コ字状のベース部と、ベース部の開口を塞ぐ板状のメダル押さえとを連結したものである。
【００３９】
螺旋軸６８ｃの張り出し部は、ベース部の開口から僅かに外側に突出しており、移送通路６８ａに送り込まれたメダル１０１は、ベース部とメダル押さえの隙間に挟まれるようになっている（図３（ａ）参照）。そして、メダル１０１は、螺旋軸６８ｃの回転に伴い、張り出し部に押し上げられるようにして、メダル押さえの内側面に支持されながら、メダル押さえの内壁面に沿って上昇してゆくものである（図３（ｂ）参照）。上昇するメダル１０１は、移送通路６８ａの上部にメダル排出口６８ｂ設けることにより、メダル１０１を支持していた一方の側壁が無くなるので、移送通路６８ａ内のメダル１０１は、螺旋軸６８の張り出し部の下り傾斜に添って、メダル排出口６８ｂから落下するものである（図３（ｃ）、（ｄ）参照）。
【００４０】
なお、螺旋軸６８ｃを回転させるための上昇駆動装置６８ｄの駆動モータは、メダル送り装置６７の駆動モータと同期して作動するようになっており、メダル送り装置６７がメダル１０１を送り出しているときには螺旋軸６８ｃも回転するようになっている。
【００４１】
なお、本実施の形態において、メダル上昇装置６８は、メダル１０１を起立した状態で上昇させる構成となっているので、メダル送り装置６７からメダル１０１が水平状態で送り出される場合には、水平状態の遊技メダルを起立させるための立設装置を設けるのが望ましい。立設装置としては、例えば回転アームと水平状態から徐々に垂直となる斜面を用いて、水平状態の遊技メダルを回転アームにて斜面上を押し上げ、遊技メダルを起立させるものや、変形カムを用いて、カムの回転に伴い水平状態の遊技メダルを起立させるものなどが挙げられる。あるいは、メダル送り装置６７から排出されるメダル１０１が並列して移動可能な移送レールであって、移動過程に置いてメダル１０１が水平状態から徐々に垂直状態となるものを設けてもよい。
【００４２】
また、本発明において、メダル上昇装置６８として、水平状態で送り出されたメダル１０１を起立状態で排出可能なもの、例えば、水平状態のメダルを受け入れ、上昇過程において徐々にメダル１０１を起立させ、起立状態で排出させる移送レールを有するものを用いてもよい。本発明において、メダル上昇装置６８としては、上記した構成のものに限られず、メダル１０１を上昇可能なものであれば、本発明において、これに特に限定されるものではない。
【００４３】
（遊技機１の電気的構成：主制御回路７１）
上記のように構成された遊技機１は、図４に示すように、主基板に設けられた主制御回路７１と、副基板に設けられた副制御回路７２とで動作が制御されている。図４に示す主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００４４】
ＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００４５】
なお、乱数サンプリングのための手段として、マイクロコンピュータ３０内で、即ち、ＣＰＵ３１の動作プログラム上で乱数サンプリングを実行するように構成しても良い。その場合、乱数発生器３６及びサンプリング回路３７は省略可能であり、或いは、乱数サンプリング動作のバックアップ用として残しておくことも可能である。
【００４６】
主制御回路７１のＲＡＭ３３には、種々の情報が一時的に格納される。例えば、遊技状態、一の遊技におけるメダル投入数、一の遊技におけるメダル払出数、後述する等が格納される。
【００４７】
一方、主制御回路７１のＲＯＭ３２には、スタートレバー６を操作（スタート操作）する毎に行われる乱数サンプリングの判定に用いられる確率抽籤テーブルや停止ボタンの操作に応じてリール３Ｌ・３Ｃ・３Ｒの停止態様を決定するための停止テーブル群等の各種のデータテーブルと、副制御回路７２へ送信するための各種制御指令（コマンド）等が格納されている。また、ＲＯＭ３２には、後述のメインルーチン等の各処理ルーチンを実行するプログラム等が格納されている。
【００４８】
上記のマイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、メダル投入ランプ１８、遊技開始表示ランプ１９）と、払出枚数及びクレジット数を表示する表示部１７と、メダルを収納し、ホッパー駆動回路４１の命令により所定枚数のメダルを払い出すホッパー（払出しのための駆動部を含む）４０と、リール３Ｌ・３Ｃ・３Ｒを回転駆動するステッピングモータ４９Ｌ・４９Ｃ・４９Ｒとがある。
【００４９】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び表示部１７を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００５０】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１Ｓ、最大ＢＥＴスイッチ１２Ｓ、Ｃ／Ｐスイッチ１４Ｓ、投入メダルセンサ２２Ｓ、リール停止信号回路４６、リール位置検出回路４７、払出完了信号回路４４がある。これらもＩ／Ｏポート３８を介してＣＰＵ３１に接続されている。
【００５１】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒの操作に応じてリール停止信号を発生する。払出完了信号回路４４は、メダル検出部４０Ｓの計数値（ホッパー４０から払出されたメダルの枚数）が指定された枚数データに達した時、メダル払出完了を検知するための信号を発生する。
【００５２】
リール位置検出回路４７は、リール回転センサからのパルス信号を受けて各リール３Ｌ・３Ｃ・３Ｒの位置を検出するためのリール位置検出信号をＣＰＵ３１へ供給する。ＣＰＵ３１は、受信したリール位置検出信号に基づいて現在のリールの位置を把握するとともに、副制御回路７２にリール位置検出信号を送信する。
【００５３】
また、主制御回路７１には、外部集中端子板８９が接続されている。この外部集中端子板８９を介して、主制御回路７１と副制御回路７２との間で通信が行われる。
【００５４】
（遊技機１の電気的構成：副制御回路７２）
上記の主制御回路７１は、副制御回路７２にコマンドや情報等を一方向に出力可能に接続されている。副制御回路７２は、図５に示すように、主制御回路７１からの制御指令（コマンド）に基づいて液晶表示装置５の表示制御、スピーカ２１Ｌ・２１Ｒ・２１Ｂからの音の出力制御、上昇駆動装置６８ｄの駆動、送出先変更装置６９の制御、及び、ＬＥＤランプ２９からの光の出力制御を行う。
【００５５】
副制御回路７２は、主制御回路７１を構成する主基板とは別の副基板上に構成され、マイクロコンピュータ（以下『サブマイクロコンピュータ』という）７３を主たる構成要素とし、液晶表示装置５の表示を制御する画像制御回路８１、スピーカ２１Ｌ・２１Ｒ・２１Ｂから出力させる音声を制御する音源ＩＣ７８、及び増幅器としてのパワーアンプ７９、ＬＥＤランプ２９を駆動するＬＥＤ駆動回路７７、上昇駆動装置６８ｄの駆動を制御する上昇駆動回路９２、送付先変更装置６９の送付先変更を制御する送付先変更回路７０、メダル入賞検出部９０からの検出信号を受けて副制御回路７２にメダル入賞信号を送信するメダル入賞検出回路９１を備えている。
【００５６】
サブマイクロコンピュータ７３は、主制御回路７１から送信された制御指令に従って制御動作を行うサブＣＰＵ７４と、副基板側記憶手段としてのプログラムＲＯＭ７５と、ワークＲＡＭ７６とを含む。プログラムＲＯＭ７５は、サブＣＰＵ７４で実行する図示しない演出処理ルーチンや後述するメダル入賞処理ルーチン等の制御プログラム等を格納している。
【００５７】
ワークＲＡＭ７６は、上記制御プログラムをサブＣＰＵ７４で実行するときの一時記憶手段として構成される。また、ワークＲＡＭ７６には、主制御回路７１から受け取った内部当籤役や、内部当籤役に対応する停止テーブルの種類等の各種のデータが記憶される。
【００５８】
なお、副制御回路７２は、クロックパルス発生回路、分周器、乱数発生器及びサンプリング回路を備えていないが、サブＣＰＵ７４の動作プログラム上で乱数サンプリングを実行するように構成されていてもよい。
【００５９】
画像制御回路８１は、画像制御ＩＣ８２、画像制御ワークＲＡＭ８３、画像ＲＯＭ８６、及びビデオＲＡＭ８７で構成される。画像制御ＩＣ８２は、サブマイクロコンピュータ７３で設定されたパラメータに基づき、画像制御プログラムに従って液晶表示装置５での表示内容を決定する。画像制御ワークＲＡＭ８３は、画像制御プログラムを画像制御ＩＣ８２で実行するときの一時記憶手段（バッファ）として構成される。画像ＲＯＭ８６は、演出画像等を形成するための画像データを格納する。ビデオＲＡＭ８７は、画像制御ＩＣ８２で画像を形成するときの一時記憶手段として構成される。
【００６０】
（遊技状態）
以上のように構成された遊技機１は、『一般遊技状態』、『ＲＴ遊技状態』、『ＲＢ遊技状態』及び『ＢＢ遊技状態』からなる４種類の遊技状態を出現させる。これら「４種類」の各遊技状態は、基本的に、内部当籤する可能性のある役の種類、再遊技に内部当籤する確率及び入賞成立を実現することが可能なボーナスの種別、内部当籤と入賞成立との関係により区別される。
【００６１】
『一般遊技状態』は、基本的に、所謂「出球率」（遊技に賭けられた単位遊技価値に対して遊技者に付与される遊技価値）の期待値が「１」よりも小さい遊技状態であり、他の遊技状態と比べて遊技者にとって最も不利な遊技状態である。
【００６２】
『一般遊技状態』においてＢＢ又はＲＢに内部当籤し、ＢＢ又はＲＢに入賞していない場合には、基本的に、一又は複数のゲームにわたり、ＢＢ又はＲＢに対応する図柄組み合わせが入賞ライン上に沿って並ぶことが許容される。『一般遊技状態』においてＢＢ又はＲＢに内部当籤すると、その内部当籤役が持越役としてセットされ、以降のゲームに持ち越されるようになる。ここで、内部当籤役の持ち越しとは、次以降のゲームにおいてＢＢ、ＲＢに内部当籤しなくても、ＢＢ、ＲＢに入賞できるようにすることである。具体的には、内部当籤状態では、ＢＢ、ＲＢに内部当籤することはないが、内部当籤役が『なし（ハズレ）』となった場合にＢＢ、ＲＢに入賞できるようになっている。
【００６３】
『ＢＢ遊技状態』は、『一般遊技状態』又は『リプレイタイム（ＲＴ）遊技状態』において、ＢＢに内部当籤し、ＢＢに入賞した場合に発生する。ＢＢの入賞は、『一般遊技状態』において「赤７−赤７−赤７」又は「青７−青７−青７」が有効ラインに沿って並ぶことにより成立する。『ＢＢ遊技状態』は、所定枚数のメダルの払い出しが完了すれば終了する。また、本実施の形態において、「赤７−赤７−赤７」に内部当籤すること及び「青７−青７−青７」に内部当籤することはそれぞれ独立であり、同時に内部当籤する可能性がある。
【００６４】
『ＲＢ遊技状態』は、『一般遊技状態』よりも出玉率の期待値が高く、他の遊技状態と比べて遊技者にとって最も有利な遊技状態である。本実施の形態において、『ＲＢ遊技状態』は、『一般遊技状態』又は『ＲＴ遊技状態』においてＲＢ（レギュラーボーナス）に入賞した場合に発生する。すわなち、ＲＢの入賞は、『一般遊技状態』又は『ＲＴ遊技状態』において「赤７−赤７−青７」が有効ラインに沿って並ぶことにより成立する。なお、各遊技状態間の移行は、ボーナス図柄の組み合せが入賞ライン上に表示されたとき等により移行する。
【００６５】
本実施の形態において、『ＲＴ遊技状態』は、『ＢＢ遊技状態』又は『ＲＢ遊技状態』の後に発生する遊技状態である。『ＲＴ遊技状態』は、メダルを投入しなくても次ゲームが行える再遊技に入賞する確率が『一般遊技状態』よりも高くなっている。即ち、『ＲＴ遊技状態』では、『一般遊技状態』よりもメダルを減らすことなく遊技が行える可能性が高くなっているため、少しずつメダルを増やしていくことが可能となる。また、本実施の形態において、『ＲＴ遊技状態』は、「チェリーの小役」に入賞すると終了し、『一般遊技状態』に移行する。
【００６６】
なお、『ＲＴ遊技状態』では、遊技者に、「チェリーの小役」に入賞しないようにナビゲートする報知演出が実行されてもよい。また、ＲＴ遊技状態の開始条件は、『ＢＢ遊技状態』又は『ＲＢ遊技状態』の後に限定されず、ＢＢ又はＲＢに内部当籤したとき、ＢＢ又はＲＢの図柄が揃ったとき、『一般遊技状態』において特定の図柄が揃ったとき、『ＢＢ遊技状態』又は『ＲＢ遊技状態』が終了したときから若しくは『一般遊技状態』において特定の図柄が揃ったときから所定の遊技数が経過したとき、とすることができる。
【００６７】
（図柄組み合わせと払い出し枚数）
次に、遊技状態と入賞成立を示す図柄組み合わせとメダルの払い出し枚数との関係を説明する。一般遊技状態においては、『ＢＢ』、『ＲＢ』と『再遊技（リプレイ）』と『スイカの小役』と『ベルの小役』と『チェリーの小役』とに入賞する可能性がある。『ＢＢ』は、「青７−青７−青７」及び「赤７−赤７−赤７」が有効ラインに沿って並ぶことにより成立する。ＢＢ又はＲＢが成立したときのメダルの払い出し枚数は「０枚」である。また、『再遊技（リプレイ）』は、「Ｒｅｐｌａｙ−Ｒｅｐｌａｙ−Ｒｅｐｌａｙ」が並ぶことにより成立する。再遊技の入賞が成立すると、投入したメダルの枚数と同数のメダルが自動投入されるので、遊技者はメダルを消費することなく次回のゲームを行うことができる。また、スイカの小役、ベルの小役、チェリーの小役の場合、それぞれ６枚、１０枚、６枚のメダルが払い出される。
【００６８】
ＢＢ遊技状態では、再遊技（リプレイ）、スイカの小役、ベルの小役、チェリーの小役に入賞する可能性がある。、本実施の形態において、ＢＢ遊技状態では、ＢＢ及びＲＢに入賞する場合はない。
【００６９】
ＲＢ遊技状態においては、再遊技（リプレイ）、スイカの小役、ベルの小役、チェリーの小役に入賞する可能性がある。スイカの小役、ベルの小役、チェリーの小役の場合、それぞれ６枚、１０枚、６枚のメダルが払い出される。なお、本実施の形態において、ＲＢ遊技状態においては、『ＢＢ』及び『ＲＢ』に入賞する場合はない。
【００７０】
（遊技機１の動作：主制御回路７１）
上記の構成において、図６に示すメインルーチンを参照して、遊技機１の主制御回路７１のＣＰＵ３１の制御動作について説明する。
【００７１】
先ず、電源が投入されると、遊技機１は、主制御回路７１において図６のメインルーチンを実行することにより遊技実行手段として遊技を実施可能な状態になると共に、副制御回路７２において図示しない演出処理ルーチンを実行することにより液晶表示装置５において演出画像等の表示等を実施したり、スピーカ２１Ｌ・２１Ｒ・２１Ｂからの音の出力を実施したり、これらを実施可能な状態になる。
【００７２】
また、ＣＰＵ３１は、副制御回路７２から外部集中端子板８９を通じて、メダル払出要求信号を受信した場合には、要求枚数のメダル１０１をホッパー駆動回路４１を介してホッパー４０から払い出すことを実施可能になる。
【００７３】
（主制御回路７１の動作:メインルーチン）
主制御回路７１によりメインルーチンが実行されると、図６に示すように、初めに、ＣＰＵ３１は、遊技開始時の初期化を行う（Ａ１）。具体的には、ＲＡＭ３３の記憶内容の初期化、通信データの初期化等を行う。続いてゲーム終了時のＲＡＭ３３の所定の記憶内容を消去する（Ａ２）。具体的には、前回のゲームに使用されたＲＡＭ３３の書き込み可能エリアのデータの消去、ＲＡＭ３３の書き込みエリアへの次回のゲームに必要なパラメータの書き込み、次回のゲームのシーケンスプログラムの開始アドレスの指定等を行う。次に、投入メダルセンサ２２ＳやＢＥＴスイッチ１１Ｓ・１２Ｓからの入力があるまで待機状態となる（Ａ３）。そして、投入メダルセンサ２２Ｓからの入力があると、メダル投入信号を副制御回路７２に送信する。そして、スタートレバー６の操作によりスタートスイッチ６Ｓがオンされたか否かを判定する（Ａ４）。
【００７４】
スタートスイッチ６Ｓがオンされてない場合には（Ａ４：ＮＯ）、Ａ４を繰り返すことにより入力待ちの状態となり、スタートスイッチ６がオンされた場合には（Ａ４：ＹＥＳ）、リール回転処理を行い、副制御回路７２にリール回転信号を送信する（Ａ５）。その後、抽籤用の乱数を抽出する（Ａ６）。そして、遊技状態監視処理を実行することによって、今回のゲームにおける遊技状態を確認し、セットする（Ａ７）。即ち、今回のゲームの遊技状態を一般遊技状態、ＢＢ遊技状態、ＲＢ遊技状態、及び、リプレイタイム（ＲＴ）遊技状態の何れかにセットし、遊技状態信号を副制御回路７２に送信する。さらに、確率抽籤処理を行い（Ａ８）、図示しない確率抽籤テーブル及び遊技状態に応じて内部当籤役を決定する。決定した内部当籤役は副制御回路７２に送信される。なお、本実施の形態において、役ごとに抽籤するため、複数の役に同時に内部当籤する可能性がある。
【００７５】
なお、本実施形態においては、小役、ボーナスの同時抽籤が可能であり、ＲＴ遊技状態においては、再遊技役の当籤確率が増大した値に設定される。また、本実施形態においては、ボーナス内部当籤役の繰り越しはあるが、小役内部当籤役の繰り越し及びボーナス内部当籤役のストックは無いものとする。
【００７６】
続いて、ＣＰＵ３１は、停止テーブル群選択処理を実行する（Ａ９）。具体的には、内部当籤役の種類を用いて特定の停止テーブル群を選択する。かかる停止テーブル群は、後のリール回転停止処理において、リール３Ｌ・３Ｃ・３Ｒを停止させる際に使用される。ここで、停止テーブル信号を副制御回路７２へ送信する。次に、リール回転停止処理を実行する（Ａ１０）。即ち、何れかの停止ボタン７Ｌ・７Ｃ・７Ｒが押圧操作されたタイミングで滑りコマ数を決定するための滑りコマ数決定処理を行う。具体的には、決定（選択）された停止テーブル、決定された内部当籤役等に基づいて滑りコマ数を決定する。続いて、滑りコマ数分、停止操作された停止ボタンに対応するリールを回転させてから停止させる。なお、停止ボタン７Ｌ・７Ｃ・７Ｒが操作され、対応するリールが停止する毎にリール停止信号（左、中、右）を副制御回路７２に送信する。また、全てのリール３Ｌ・３Ｃ・３Ｒが停止したときに、全リール停止信号を副制御回路７２に送信する。
【００７７】
次に、入賞判定を行う（Ａ１１）。入賞判定とは、リール３Ｌ・３Ｃ・３Ｒの各図柄の停止態様に基づいて入賞役（入賞が成立した役）を識別することである。そして、入賞信号を副制御回路７２に送信する。この後、獲得したメダルのクレジット又は払出しを行う（Ａ１２）。具体的には、入賞成立によりメダルを獲得する場合は、払出枚数表示部１８にメダルの獲得枚数を表示する。そして、遊技者によりＣ／Ｐボタン１４が切替えられることにより、獲得したメダルを遊技機１内にクレジットするか、メダル払出口１５からメダルを払い出すかを決定する。なお、クレジットしたメダルは、次ゲームでＢＥＴボタン１１・１２を押すことによりメダルを賭けることができる。なお、ボーナス入賞時に払い出しは無く、小役入賞時だけ払い出しが行われる。
【００７８】
次に、現在の遊技状態が『ＢＢ遊技状態』又は『ＲＢ遊技状態』であるか否かを判定する（Ａ１３）。遊技状態が『ＢＢ遊技状態』又は『ＲＢ遊技状態』であると判定した場合には（Ａ１３：ＹＥＳ）、ボーナスの払出枚数のチェック処理を行う（Ａ１５）。具体的には、所定の払出枚数に達している場合にはボーナス終了となる。
【００７９】
次に、ボーナスが終了か否かを判定する（Ａ１５）。ボーナスが終了でないと判定した場合には（Ａ１５：ＮＯ）、Ａ２を再実行する。一方、ボーナスが終了であると判定した場合には（Ａ１５：ＹＥＳ）、ボーナス終了処理を実行し（Ａ１６）、副制御回路７２に対してボーナス終了信号を送信する。
【００８０】
次に、ＲＴ開始であるか否かを判定する（Ａ１７）。例えば、ボーナスがＢＢである場合又はボーナスがＲＢであって、ＲＢの最後の遊技において所定の役（ベル、リプレイ）が成立した場合は、ＲＴ開始であると判定する。ＲＴ開始と判断した場合には（Ａ１７：ＹＥＳ）、ＲＴ遊技状態に設定し（Ａ１８）、Ａ２を再実行する。具体的には、ＲＴ開始信号を副制御回路７２に送信するとともに、遊技状態をＲＴ遊技状態に移行（セット）を行う。また、ボーナスの種類に応じて所定のＲＴ回数を設定する。
【００８１】
一方、Ａ１７において、ＲＴ開始でないと判定した場合には（Ａ１７：ＮＯ）、遊技状態を一般遊技状態に移行し（Ａ２３）、Ａ２を再実行する。
【００８２】
一方、Ａ１３において、遊技状態が『ＢＢ遊技状態』又は『ＲＢ遊技状態』でないと判定した場合には（Ａ１３：ＮＯ）、ボーナスに入賞したか否かを判定する（Ａ１９）。具体的には、入賞した役が『赤７-赤７-赤７』又は『青７-青７-青７』である場合には、ボーナスに入賞したと判断する。ボーナスに入賞したと判定した場合には（Ａ１９：ＹＥＳ）、遊技状態をボーナス遊技状態に設定し（Ａ２０）、Ａ２を再実行する。
【００８３】
一方、Ａ１９において、ボーナスに入賞していないと判定した場合には（Ａ１９：ＮＯ）、ＲＴが終了したか否かを判定する（Ａ２１）。具体的には、ＲＴ回数が『０』又はチェリーに入賞した場合には、ＲＴが終了したと判定する。ＲＴが終了していないと判定した場合には（Ａ２１：ＮＯ）、ＲＡＭ３３に記憶されているＲＴ回数を減算して、Ａ２を再実行する。一方、ＲＴが終了したと判定した場合には（Ａ２１：ＹＥＳ）、ＲＴ終了処理を行い（Ａ２２）、ＲＴ終了信号を副制御回路７２に送信する。次に、遊技状態を一般遊技状態に設定し（Ａ２３）、Ａ２を再実行する。
【００８４】
（遊技機１の動作：副制御回路７２）
上記の主制御回路７１におけるメインルーチンにより各種の処理が実行されると、処理に応じた結果や内容がコマンドやデータとして副制御回路７２に入力される。副制御回路７２においては、図示しない演出処理ルーチン等をそれぞれ独立して実行している。そして、演出処理ルーチンの実行により、疑似リール４Ｌ・４Ｃ・４Ｒ、コマンドに基づいた演出画像等を液晶表示装置５に表示させる。例えば、メダル投入を示すコマンドが入力された場合には、スタートレバー６の操作を促す演出画像等を液晶表示装置５に表示させる。また、液晶表示装置５からの演出にともなって、或いは独立して、ＬＥＤランプ２９からの光の出力による演出、スピーカ２１Ｌ・２１Ｒ・２１Ｂからの音の出力による演出を行う。
【００８５】
（副制御回路７２の動作：メダル入賞処理ルーチン）
また、副制御回路７２においては、図７に示すメダル入賞処理ルーチンを、上記の演出処理ルーチンと平行して実行する。
【００８６】
即ち、メダル入賞処理ルーチンが実行されると、図７に示すように、初めに、サブＣＰＵ７４は、メダル１０１がメダル入賞口６２に入った際に発せられるメダル入賞信号をメダル入賞検出回路９１から受信したか否かを判定する（Ｂ１）。メダル入賞信号を受信していないと判定した場合には（Ｂ１：ＮＯ）、Ｂ１を再実行する。一方、メダル入賞信号を受信したと判定した場合には（Ｂ１：ＹＥＳ）、入賞は２倍であるか否かを判定する（Ｂ２）。入賞が２倍であると判定した場合には（Ｂ２：ＹＥＳ）、外部集中端子板８９を介して主制御回路７１に、メダルを１枚払い出すことを要求するメダル払出要求信号（１枚）を送信し（Ｂ３）、Ｂ１を再実行する。
【００８７】
一方、Ｂ２において、入賞は２倍でないと判定した場合には（Ｂ２：ＮＯ）、入賞は３倍であるか否かを判定する（Ｂ４）。入賞が３倍でないと判定した場合には（Ｂ４：ＮＯ）、Ｂ１を再実行する。一方、入賞が３倍であると判定した場合には（Ｂ４：ＹＥＳ）、外部集中端子板８９を介して主制御回路７１に、メダルを２枚払い出すことを要求するメダル払出要求信号（２枚）を送信し（Ｂ５）、Ｂ１を再実行する。
【００８８】
（効果）
このように、所定の入賞成立によりメダル１０１がホッパー４０から送出され、送出されたメダル１０１が、リール３Ｌ・３Ｃ・３Ｒの下方に設けられた連絡路をメダル払出口１５に向かって進行し、連絡路を進行するメダル１０１がメダル入賞口６２に入った場合に、別のメダルがホッパー４０からさらに送出される。すなわち、遊技価値付与手段によってホッパー４０から送出されたメダル１０１が連絡路をメダル払出口１５に向かって進行し、メダル１０１が所定の進行経路を通過した場合に遊技価値が付与されるという、メダル１０１によるアトラクションを提供することができる。
【００８９】
このように、遊技価値付与手段によってホッパー４０から送出されたメダル１０１が連絡路を排出口に向かって進行し、メダル１０１が所定の進行経路を通過した場合に付与される遊技価値として、ホッパー４０からメダル１０１を送出させる。すなわち、遊技価値付与手段により送出されたメダル１０１が連絡路をメダル払出口１５に向かって進行する。メダル１０１が所定の進行経路を通過した場合に、さらに別の遊技媒体が遊技価値付与手段により送出される。このように、遊技価値付与手段により付与されたメダル１０１がさらに新たなメダル１０１を生み出すため、累積的に新たなメダル１０１を付与することができるという、メダル１０１によるアトラクションを提供することができる。
【００９０】
このように、上記連絡路を進行するメダル１０１をキャビネット２の外部から視認可能にすることができる。すなわち、遊技価値付与手段により送出されたメダル１０１が連絡路をメダル払出口１５に向かって進行する様子が外部から視認可能な状態となるため、メダル１０１が所定の進行経路を通過するか否かについて視認することができるという、メダル１０１によるアトラクションを提供することができる。
【００９１】
なお、本実施の形態において、遊技媒体を、メダルとしているが、本発明において、自重により進行する遊技媒体であれば、これに特に限定されるものではない。
【００９２】
また、本実施の形態において、検出手段の検出に基づいて遊技価値付与手段が付与する所定の遊技価値として、メダルとしているが、本発明において、これに特に限定されるものではない。例えば、遊技を有利にするポイントや、カード等も含まれる。
【００９３】
（実施形態２）
本発明の第２の実施形態を図８に基づいて以下に説明する。尚、実施形態１と同一の部材には同一の符号を付記してその説明を省略する。
【００９４】
（遊技媒体送出手段）
図２は、キャビネット２の内部を示す図である。キャビネット２の内部の下方には、上面が開口し、メダル１０１を貯留するホッパータンク４０ａと、貯留されたメダル１０１を送出するホッパー本体４０ｂとを有する送出手段としてのホッパー４０が設置されている。また、キャビネット２の内部の下方には、上面が開口し、キャビネット２の上方に搬送するメダル１０１を収集するメダル収集部６６が設置されている。メダル収集部６６は収集されたメダル１０１を後述するメダル上昇装置６８に送り出すメダル送り装置６７を有する。また、キャビネット２の内部の右方には、メダル収集部６６で収集されたメダル１０１を前面上部口１０２まで上昇させる送出手段としてのメダル上昇装置６８が設置されている。
【００９５】
図１に示すメダル投入口２２は、メダル通路（図示せず）を介してホッパータンク４０ａに連通している。そして、メダル投入口２２から投入されたメダル１０１は、メダル通路を介して、ホッパータンク４０ａ内に投入される。
【００９６】
ホッパー本体４０ｂの内部には、図示しないメダル投入機構が設けられており、後述する遊技価値付与手段により遊技結果に基づいて所定の枚数のメダル１０１をホッパー本体４０ｂの前面に設けられた送付先変更装置６９を介して送出するように構成されている。送出先変更装置６９は、ホッパー本体４０ｂから送出されたメダル１０１の送出先をメダル払出口１５と前面上部口１０２とに切り替え可能に構成されている。送出先変更装置６９の送出先は、後述する副制御回路７２により切り替え制御可能であるが、本実施の形態においては、常に前面上部口１０２を送付先として説明する。送出先変更装置６９の送出先が、前面上部口１０２である場合は、メダル１０１は、メダル収集部６６、メダル送り装置６７及びメダル上昇装置６８を介して、前面上部口１０２に搬送される。
【００９７】
なお、本実施の形態において、遊技媒体たるメダル１０１を送出する送出手段を、キャビネット２内部下方に設けたホッパーと、キャビネット２内部下方からメダル１０１を上方に上昇するメダル上昇装置６８と、メダル１０１の送付先を切り替える送付先変更装置６９と、から構成しているが、遊技媒体たるメダル１０１を送出するものであれば、本発明において、特にこれに限定されるものではない。
【００９８】
（本実施の形態の概要）
以上のように、本実施の形態の遊技機は、筐体（キャビネット２等）と、遊技媒体を用いて、所定の入力に応じて抽籤を実行し、抽籤結果に応じて複数種類の遊技状態の下で遊技を実行する遊技実行手段（主制御回路７１等）と、筐体内部に設けられ、遊技媒体を送出する送出手段（前面上部口１０２、ホッパー４０、メダル上昇装置６８等）と、送出手段の下方に配置され、遊技媒体を筐体外部に排出する排出口（メダル払出口１５）と、送出手段と排出口とを連絡し、遊技媒体を自重により任意の進行経路で進行させる連絡路と、連絡路を進行する遊技媒体が所定の進行経路を通過したことを検出する検出手段（メダル入賞検出部９０、メダル入賞検出回路９１等）と、遊技実行手段の実行結果に基づいて、送出手段により遊技媒体を送出させるとともに、検出手段の検出に基づいて所定の遊技価値を付与する遊技価値付与手段（主制御回路７１、副制御回路７２等）と、を有する構成にされている。
【００９９】
上記の構成によれば、遊遊技価値付与手段により送出された遊技媒体が連絡路を排出口に向かって進行し、遊技媒体が所定の進行経路を通過した場合に遊技価値が付与されるという、遊技媒体によるアトラクションを提供することができる。
【０１００】
また、本実施の形態の遊技機において、遊技価値付与手段（主制御回路７１、副制御回路７２等）は、所定の遊技価値として、送出手段により遊技媒体を送出させるように構成にされている。上記の構成によれば、遊技価値付与手段により送出された遊技媒体が連絡路を排出口に向かって進行する。遊技媒体が所定の進行経路を通過した場合に、さらに別の遊技媒体が遊技価値付与手段により送出される。このように、遊技価値付与手段により付与された所定の遊技価値がさらに新たな遊技媒体を生み出すため、累積的に新たな遊技価値を付与することができるという、遊技媒体によるアトラクションを提供することができる。
【０１０１】
また、本実施の形態の遊技機において、連絡路は、進行中の遊技媒体を筐体外部から視認可能に構成にされている。上記の構成によれば、遊技価値付与手段により送出された遊技媒体が連絡路を排出口に向かって進行する様子が外部から視認可能な状態となる。遊技媒体が所定の進行通路を通過するか否かについて視認することができるという、遊技媒体によるアトラクションを提供することができる。
【０１０２】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【０１０３】
また、上述の実施の形態の遊技機は、以下の構成を上述の実施の形態における構成に加えて、或いは重複して備えていても良い。
【０１０４】
即ち、遊技機は、所定の遊技結果が表示された場合に遊技者に遊技価値を付与する遊技価値付与手段と、遊技開始指令信号に基づいて所定の役を内部当籤役として決定する内部当籤役決定手段と、内部当籤役に基づいて変動表示手段に入賞態様を表示させる停止制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に、特定の遊技結果が表示されることを告知表示手段に告知態様を表示させる予告表示制御手段と、遊技結果表示手段の表示制御を行う表示制御手段と、遊技結果表示手段又は変動表示手段の一部又は全部の可変表示を停止させる停止指令信号を出力する遊技者による操作が可能な位置に設けられた表示停止指令手段と、所定の単位遊技で内部当籤役決定手段が内部当籤役として決定した特定の役を次回の単位遊技にも内部当籤役として持ち越す内部当籤役持越手段と、内部当籤役決定手段が内部当籤役として決定した特定の役を蓄積して記憶する特定役蓄積手段と、特定役蓄積手段が蓄積して記憶している特定の役を内部当籤役とする蓄積特定役当籤手段とを少なくとも１つ以上備えていてもよい。
【０１０５】
ここで、上記の『遊技結果表示手段』は、まとめると変動表示手段、演出表示手段、告知表示手段等を含んで構成されている。それらが、別体の表示装置であってもよいし、単一の表示装置に設けられた所定の表示部（スプライト、深度の異なる３Ｄオブジェクト）でもよい。また、重なって表示されてもよい。さらには、１又は複数の音、１又は複数の光、１又は複数の色、１又は複数の画像、１又は複数の臭い等、１又は複数の感触（振動、圧力）のうちの何れかの、複数又は全部により遊技者に報知を行うようになっていてもよい。
【０１０６】
『遊技価値付与手段』は、遊技価値（コイン）を付与（払出）するプログラム等、有利状態発生手段を含み、賞媒体の払出、磁気カードへの記録、ゲームの得点加算も含む。
【０１０７】
『表示制御手段』は、まとめると停止制御手段、演出表示制御手段、告知表示制御手段等を含んで構成されている。単一の基板に設けられていても、別体の複数の基板に設けられてもよいし、停止制御手段は内部当籤役決定手段と同一の基板に設けられてもよい。（別体でもよい。）さらには、演出表示制御手段及び告知表示制御手段は、内部当籤役決定手段と別体の基板に設けられてもよい。（別体でもよい。）
【０１０８】
『変動表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でもよい。
【０１０９】
『表示停止指令手段』は、演出表示手段、変動表示手段、告知表示手段等のうちの１つ、複数、全ての可変表示を停止させる信号を出力してもよいし、１つ又は複数の表示部に対応して１つ設けられていてもよい（表示部は、図柄表示部等）。或いは、１つの表示部に対応して複数設けられていてもよい（表示部は、図柄表示部等）。
【０１１０】
『有利状態発生手段』は、複数の遊技単位の間、継続して遊技者に有利な状態が続くものであれば何でもよい。例えば発生判定、継続判定、途中終了判定、発生、継続、終了等を行うプログラム等である。また、『内部当籤役決定手段』は、内部当籤役抽籤手段、内部当籤役持越手段、特定役蓄積手段、蓄積特定役当籤手段等から構成されている。
【０１１１】
なお、本実施の形態において、『遊技機』は、パチンコ、パチスロ機、ビデオスロット等を含む。『遊技結果』は、入賞態様、外れ態様、演出態様、告知態様等を含む。『特定の入賞態様』は、特定の図柄の表示（『３』、『７』等）や特定の図柄の組み合わせの表示（『７７７』『７７６』等）、複数の図柄うちに特定の図柄が含まれている（単チェリー、２連チェリー等）等を含む。
【０１１２】
『外れ態様』は、変動表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【０１１３】
『予告態様』は、所定の内部当籤役または特定の内部当籤役が決定されている可能性があることを遊技者に対して予告する態様や外れを予告する態様、また、その演出態様を含む。『外れ？』、『ベル？』、『大当り当籤？』、『ボーナス当籤？』、『遊技手順ナビゲート機能当籤？』等の文字も含む。『告知態様』は、所定の内部当籤役または特定の内部当籤役が決定されていることを遊技者に対して告知する態様や、所定の内部当籤役または特定の内部当籤役が決定されていないことを遊技者に対して告知する態様、また、その演出態様を含む。『大当り確定』、『ボーナス確定』、『外れ確定』、『ベル確定』、『遊技手順ナビゲート機能当籤？』等の文字も含む。
【０１１４】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ、ＲＢ等）の説明、有利状態（ＢＢ，ＲＢ等）、確率、所定時点（ボーナス、ＢＢ、ＲＢ、所定操作等）からの経過ゲーム数等を含む。
【０１１５】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ，ＬＣＤ、プラズマディスプレイ、７セグメント表示器、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等を含む。それらが複数設けられたもの、それらが組み合わせられたもの等を含む。
【０１１６】
『内部当籤役』は、複数の役から内部当籤役決定手段により内部当籤役として決定された１または複数の役を含む。『入賞役』は、内部当籤役に対応する入賞態様が表示された役を含む。『遊技価値』は、賞媒体（コイン、メダル、遊技球）の払出し、遊技結果記憶媒体（磁気カード等への所定の書き込み、リプレイ、得点の加算、有利状態の発生等を含む。『遊技媒体（賞媒体）』は、コイン、メダル、遊技球、貨幣、紙幣、磁気カード等を含む。
【０１１７】
また、パチスロ等における役は、次のうちの１または複数を適用してもよい。外れ、所定枚数の賞媒体を払出す小役、内部当籤役決定手段が小役を内部当籤役と決定する確率を１単位遊技（１ゲーム）の間だけ高確率とするシングルボーナス、内部当籤役決定手段が小役を内部当籤役と決定する確率を複数単位遊技の間だけ高確率とするレギュラーボーナス、内部当籤役決定手段がレギュラーボーナスを内部当籤役に決定する確率を複数単位遊技の間だけ高確率とするビッグボーナス、内部当籤役決定手段が決定した内部当籤役に関する情報を遊技者による表示停止指令手段の操作より以前に報知する内部当籤役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【０１１８】
例えば、上述の内部当籤役ナビゲート機能は、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターンの６種類等）にしたがって、左、中、右リール停止ボタンを停止操作することで変動表示手段に所定の入賞態様が得られるリール停止ナビゲート機能等を含む。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に変動表示手段に所定の入賞態様が得られるものも含む。遊技者による表示停止指令手段からの停止指令信号の出力から最小移動（又は略最小変動）で図柄を停止させる機能や、遊技媒体の投入無しで１単位遊技の遊技を開始できるリプレイも含む。
【０１１９】
また、１回の単位遊技は、例えば次のようなもののうち何れかを適用してもよい。遊技開始指令手段からの遊技開始指令信号の出力から遊技結果の表示まで。スタートレバーの操作から変動表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技メダルが遊技者により投入されたこと、等により遊技開始指令信号を出力するように構成し、ベットボタンの操作または遊技メダルの投入から変動表示手段に遊技結果が表示されるまで。ベットボタンが遊技者により操作されたこと、または遊技メダルが遊技者により投入されたこと、等により遊技開始指令信号を出力するように構成し、ベットボタンの操作または遊技メダルの投入から所定の表示手段に特定の表示が表示されるまで。遊技開始指令信号を出力する図柄始動手段が遊技媒体（例えば遊技球）の入賞または通過を検出してから変動表示手段（所定の表示手段）に遊技結果が表示されるまで。遊技開始指令信号を出力する図柄始動手段が遊技媒体の入賞または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用してもよい。
【図面の簡単な説明】
【０１２０】
【図１】本発明の第１及び第２の実施形態である遊技機の斜視図。
【図２】本発明の第１の実施形態である遊技機の筐体内部を示す図。
【図３】遊技機のメダル上昇装置を示す図。
【図４】遊技機の主制御回路の構成を示すブロック図。
【図５】遊技機の副制御回路の構成を示すブロック図。
【図６】主制御回路が実行するメインルーチンのフローチャートを示す図。
【図７】副制御回路が実行するメダル入賞処理ルーチンのフローチャートを示す図。
【図８】本発明の第２の実施形態である遊技機の筐体内部を示す図。
【符号の説明】
【０１２１】
１      遊技機
２      キャビネット
４０    ホッパー
６０    液晶前面メダル進行路
６１    リール側面メダル進行路
６２    メダル入賞口
６２ａ  メダル入賞口（２倍）
６２ｂ  メダル入賞口（３倍）
６６    メダル収集部
６７    メダル送り装置
６８    メダル上昇装置
７１    主制御回路
７２    副制御回路
８９    外部集中端子板
９０    メダル入賞検出部
９１    メダル入賞検出回路
１０１  メダル
１０２  前面上部口
【図１】
2008264362.tif 000003
【図２】
2008264362.tif 000004
【図３】
2008264362.tif 000005
【図４】
2008264362.tif 000006
【図５】
2008264362.tif 000007
【図６】
2008264362.tif 000008
【図７】
2008264362.tif 000009
【図８】
2008264362.tif 000010